(57)【特許請求の範囲】
【請求項１】
履物のつま先部の先端に、自在に回転できる回転体が、該回転体の回転外表面が前方に向かって露出するように配され、
前記回転体は、横方向の巾が該回転体の直径の長さ以下に設けられていると共に横軸を中心に自在に回転できるように配され、
前記回転体の外径は、前記つま先部の先端におけるソールの上下方向の巾と同等に設けられているつまずきを防ぐ履物であって、
前記横軸が左右に架け渡された状態に設けられて前記回転体が配される凹状のスペースを備える保持部材と、
該保持部材が組み込まれるように、前記つま先部の先端におけるソールに凹状に設けられた被組み込み部とを備え、
前記保持部材は、前記凹状のスペースを形成する部分と、該凹状のスペースを形成する部分の左右の両端からそれぞれ折り曲げられて延長された形状に設けられて前記つま先部の先端に固定される左右の固定用の取付部とを備えることを特徴とするつまずきを防ぐ履物。
【請求項２】
前記回転体が、横方向に複数配されていることを特徴とする請求項１記載のつまずきを防ぐ履物。
【請求項３】
前記回転体が、ボールベアリングであることを特徴とする請求項１又は２記載のつまずきを防ぐ履物。
【請求項４】
前記回転体が、球形状に設けられていることを特徴とする請求項１又は２記載のつまずきを防ぐ履物。
【発明の詳細な説明】
【技術分野】
【０００１】
この発明は、低い障害物を乗り越え、けつまずきにくくすることが可能なつまずきを防ぐ履物に関する。
【背景技術】
【０００２】
従来のつまずきを防ぐ履物としては、例えば、アッパー、ヒール、ソール、切り欠き、切り欠きの最奥部により、該履物を構成され、前記切り欠きは、踵相当部の底部であるヒールに単一に設け、装着者の重心下方の位置の側方の前後近傍に設けることで、加齢に伴う背屈力の衰えに起因するつまずき転倒を防止すると共に、着用時のフィット感向上、靴擦れの防止を目的とする履物（特許文献１参照）が提案されている。
【０００３】
また、従来のつまずきを防ぐ履物としては、例えば、その靴底が前後方向において接地面より足裏面の方にかけて、段階的に全体もしくは部分的に、その収縮率を大きくしたものによって形成され、または足の甲の覆いに全体的もしくは部分的に収縮性のあるものを使用し、さらに靴底の接地面の先端部に、摩擦係数の小さいものを全体的もしくは部分的に使用し、この部分における地面との引っかかりを回避できるようになっている（特許文献２参照）ものが提案されている。
【０００４】
これによれば、高齢者のつまずき転倒を防ぐため、着地時には靴底は足裏面に水平であるが、足を挙上したときに直ちに靴の先端部が足裏水平面より上向き、地面との不要な接触をさけることができ、また万一足先先端部が地面と接触せざるを得ないときでも、靴底の接地面の先端部にもうけた摩擦軽減構造で、つまずき転倒するのを防止するようにしている（特許文献２参照）と提案されている。
【０００５】
しかし、上記従来の履物では、普通の形態の履物に比べて履き心地に関して違和感を生じ易く、その形態が行き過ぎると、利用者がはきにくく、重心が踵にかかり易くなるためバランスを崩し易くなる。また、特許文献２のように靴底の接地面の先端部に、摩擦係数の小さいものを全体的もしくは部分的に使用したものであっても、面を滑らかな状態に維持することは限界がある。
【先行技術文献】
【特許文献】
【０００６】
【特許文献１】実用新案登録第３１５７２８２号公報（第１頁）
【特許文献２】特開平１１−２２１１０３号公報（第１頁）
【発明の概要】
【発明が解決しようとする課題】
【０００７】
つまずきを防ぐ履物に関して解決しようとする問題点は、低い小さな段差や小石などの低い障害物につま先を突いて、けつまずくことがあるが、従来は、これを防止するより合理的な提案がなされていない点にある。
【０００８】
そこで、本発明の目的は、低い小さな段差や小石などの低い障害物につま先を突いても、その低い障害物をより合理的に乗り越え、けつまずきにくくすることができるつまずきを防ぐ履物を提供することにある。
【課題を解決するための手段】
【０００９】
本発明は、上記目的を達成するために次の構成を備える。
本発明に係るつまずきを防ぐ履物の一形態によれば、つま先部の先端に、自在に回転できる回転体が、該回転体の回転外表面が前方に向かって露出するように配されている。
【００１０】
また、本発明に係るつまずきを防ぐ履物の一形態によれば、前記回転体は、横方向の巾が該回転体の直径の長さ以下に設けられていると共に横軸を中心に自在に回転できるように配されていることを特徴とすることができる。
【００１１】
また、本発明に係るつまずきを防ぐ履物の一形態によれば、前記回転体の外径は、前記つま先部の先端におけるソールの上下方向の巾と同等に設けられて配されていることを特徴とすることができる。
また、本発明に係るつまずきを防ぐ履物の一形態によれば、前記横軸が左右に架け渡された状態に設けられて前記回転体が配される凹状のスペースを備える保持部材と、該保持部材が組み込まれるように、前記つま先部の先端におけるソールに凹状に設けられた被組み込み部とを備え、前記保持部材は、前記凹状のスペースを形成する部分と、該凹状のスペースを形成する部分の左右の両端からそれぞれ折り曲げられて延長された形状に設けられて前記つま先部の先端に固定される左右の固定用の取付部とを備えていることを特徴とすることができる。
【００１２】
また、本発明に係るつまずきを防ぐ履物の一形態によれば、前記回転体が、横方向に複数配されていることを特徴とすることができる。
【００１３】
また、本発明に係るつまずきを防ぐ履物の一形態によれば、前記回転体が、ボールベアリングであることを特徴とすることができる。
【００１４】
また、本発明に係るつまずきを防ぐ履物の一形態によれば、前記回転体が、球形状に設けられていることを特徴とすることができる。
【発明の効果】
【００１５】
本発明のつまずきを防ぐ履物によれば、低い小さな段差や小石などの低い障害物につま先を突いても、その低い障害物をより合理的に乗り越え、けつまずきにくくすることができるという特別有利な効果を奏する。
【図面の簡単な説明】
【００１６】
【図１】本発明に係るつまずきを防ぐ履物のつま先部の形態例を示す底面図である。
【図２】図１の形態例に示された形態例の側面部分断面図である。
【図３】本発明に係るつまずきを防ぐ履物の形態例の全体を示す斜視図である。
【図４】本発明に係るつまずきを防ぐ履物のつま先部の他の形態例を示す底面図である。
【発明を実施するための形態】
【００１７】
以下、本発明に係るつまずきを防ぐ履物の形態例について、添付図面（図１〜４）に基づいて詳細に説明する。このつまずきを防ぐ履物としては、一般的な靴だけに限定されるものではなく、運動靴、サンダル、スリッパなど、全ての履物を対象とする。
【００１８】
本発明に係るつまずきを防ぐ履物は、つま先部１０の先端に、自在に回転できる回転体２０が、その回転体２０の回転外表面２１が前方に向かって露出するように配されている。なお、本形態例（図１〜３）では、回転体２０として、全て金属によって構成されたベアリングが用いられているが、本発明はこれに限定されることはなく、回転外表面２１が摩擦の大きな部材（例えば、ウレタンゴム）で被覆されたタイヤのようなベアリングを用いることもできる。
【００１９】
これによれば、低い小さな段差や小石などの低い障害物につま先を突いても、その低い障害物をより合理的に乗り越え、けつまずきにくくすることができる。また、室内履きのスリッパなどに応用した場合は、電線コードなどの低い障害物に対して、つまずくことを適切に防止できる。すなわち、回転体２０の回転外表面２１が、前方に向かって露出するように配されているため、歩行中において、他の履物の部分よりも前記障害物により早く接触することになり、その回転体２０が回転することで、前記障害物を乗り越えることができる。これにより、合理的につまずきを防止することができる。
【００２０】
また、本形態例の回転体２０は、横軸３０を中心に自在に回転できるように配されている。この横軸３０とは、実質的に軸心が水平方向に設けられているもので、本形態例では、  保持部材４０によって形成された凹状のスペース内に、ロッド状の軸材が左右に架け渡された状態に配されて設けられている。
【００２１】
なお、この横軸３０の形態は、これに限定されるものではなく、例えば、左右に分割して設けられ、回転体２０が左右に延びる軸心（水平軸心）を中心に回転できるように、その左右両側で支持するものであってもよい。また、横軸３０には、回転体２０が、回転し易いように、凹状のスペースの両内壁面に接触して回転が阻害されることを防止するためや、回転体２０同士が接触して回転が阻害されることを防止するために、その軸径について段差を設けたり、スリーブを配すればよい。
【００２２】
本形態例の保持部材４０は、回転体２０が配される凹状のスペースが形成されるように、金属材を折り曲げて形成されており、両端に固定用の取り付け部が折り曲げ延長されて設けられている。その取り付け部には取り付け用孔が設けられており、本形態例では、図３に示すように、固定用鋲４１が、その取り付け用孔を通して打ち付けられることで、回転体２０が装着された保持部材４０を、履物のつま先部１０に固定した構成になっている。
【００２３】
本発明に係る保持部材４０の履物のつま先部１０への装着形態は、これに限定されるものではなく、例えば、履物のつま先部１０の側に収納部（被組み込み部）を設け、その収納部へ、回転体２０が回動自在に内蔵状態に配されてユニット化された保持部材４０を組み込む形態としてもよいのは勿論である。その固着方法は、例えば、接着や嵌め込みなど、既知の手段を適宜選択的に用いればよい。
【００２４】
また、本形態例では、回転体２０が、横方向に複数配されている。図１〜３に示した形態例では、ボールベアリング２０が２個装着されており、図４に示す形態例では、２個のボールベアリング２０の間に、球形状の回転体２２が装着されている。このように、回転体２０の数は、複数であってもよいし、場合によっては、一つでもよいのは勿論である。
【００２５】
但し、本形態例のように複数の回転体２０にすることで、前述の障害物に接することができる範囲をより広くできるため、つまずきをより適切に回避可能な形態とすることができると共に、各回転体２０自体は小型化できるという利点がある。このように小さな回転体２０を装着する形態とすることで、通常の履物の形態と比較して、ほとんど変わらない全体的サイズの中につまずき防止機能を構成でき、通常の歩行時などの使用時に違和感が生じることを防止でき、さらに、外観的にも優れた形態になっている。
【００２６】
また、本形態例の回転体２０の外径は、つま先部１０の先端の上下方向の巾と同等に設けられて配されている。これによれば、上述したように、通常の履物の形態と比較して、ほとんど変わらない全体的サイズの中につまずき防止機能を構成でき、通常の歩行時などの使用時に違和感が生じることを防止でき、さらに、外観的にも優れた形態になっている。
【００２７】
また、本形態例では、回転体２０が前方に向かって露出するように配されていると共に、上下の両面についても開放されて露出する形態に配されている。これによれば、ゴミが溜まりにくく、たとえゴミが挟まったような場合でも、容易に除去できる。
【００２８】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２９】
１０  つま先部
２０  回転体（ボールベアリング）
２１  回転外表面
２２  球形状の回転体
３０  横軸
４０  保持部材
４１  固定用鋲
【要約】
【課題】低い小さな段差や小石などの低い障害物につま先を突いても、その低い障害物をより合理的に乗り越え、けつまずきにくくすることができるつまずきを防ぐ履物を提供する。
【解決手段】つま先部の先端に、自在に回転できる回転体２０が、該回転体２０の回転外表面２１が前方に向かって露出するように配されている。その回転体２０は、例えば、横軸３０を中心に自在に回転できるもので、横方向に複数配されている。また、その回転体２０としては、ボールベアリングや球形状に設けられたものとすることができる。
【選択図】図１【図１】
0006758000.tif 000002
【図２】
0006758000.tif 000003
【図３】
0006758000.tif 000004
【図４】
0006758000.tif 000005